(57)【要約】【課題】読み出しボタンがどのような種類の機能に関するものであるかを容易に認識可能な画像形成装置の表示制御装置の提供。【解決手段】複数の機能を有する複合機１の表示制御装置１００は、タッチパネル５ａ及び操作キー５ｂと、記憶部４４と、制御部４５とを備える。タッチパネル５ａ及び操作キー５ｂは、複数の機能のうち少なくとも１つの機能の設定を受け付ける。記憶部４４は、タッチパネル５ａ及び操作キー５ｂが受け付けた少なくとも１つの機能の設定を記憶する。タッチパネル５ａは、記憶部４４が記憶している機能の設定を読み出すための読み出しボタンＫ１〜Ｋ５を選択可能に表示する。制御部４５は、読み出しボタンＫ１〜Ｋ５が、設定された機能の種類に対応する色で表示されるように、タッチパネル５ａの表示動作を制御する。【選択図】図６
2009065242.tif 000002
【特許請求の範囲】
【請求項１】
複数の機能を有する画像形成装置の表示制御装置であって、
複数の前記機能のうち少なくとも１つの前記機能の設定を受け付ける設定受付部と、
前記設定受付部が受け付けた少なくとも１つの前記機能の設定を記憶する記憶部と、
前記記憶部が記憶している前記機能の設定を読み出すための読み出しボタンを選択可能に表示する表示部と、
前記読み出しボタンが、設定された前記機能の種類に対応する色で表示されるように、前記表示部の表示動作を制御する制御部と、
を備える、画像形成装置の表示制御装置。
【請求項２】
前記設定受付部は、前記機能の設定を表すべき名称の外部からの入力を更に受け付け、
前記記憶部は、前記名称を、前記機能の設定に対応づけて更に記憶し、
前記制御部は、前記機能の設定に対応する前記名称が前記読み出しボタン上に表示されるように、前記表示部の表示動作を更に制御する、
請求項１に記載の画像形成装置の表示制御装置。
【発明の詳細な説明】
【技術分野】
【０００１】
本発明は、画像形成装置の表示制御装置、特に、複数の機能を有する画像形成装置の表示制御装置に関する。
【背景技術】
【０００２】
近年の画像形成装置は、例えば両面印刷機能やソート機能、画像データを送信する際に用いられる送信サイズ設定機能等の多くの機能を有している。このような機能により、ユーザは、原稿を所望の状態にコピーしたり、画像データを送信したりすることができる。
【０００３】
ところで、コピーや画像データの送信時において用いるべき機能が多いと、機能の設定に要する時間が長くなってしまう。また、機能の設定によっては、繰り返し用いられるものもある。そこで、近年の画像形成装置には、例えば特許文献１に開示されているように、機能の設定を不揮発性の記憶媒体に記憶する、いわゆるプログラム設定登録機能を備えたものが知られている。これにより、ユーザは、既に用いたことのある機能の設定を繰り返し行わずに済む。
【特許文献１】特開２００４―２３４１９５号公報
【発明の開示】
【発明が解決しようとする課題】
【０００４】
特許文献１では、記憶媒体に記憶された機能の設定が複数ある場合、画像形成装置の表示部には、機能の設定を表す名称がそれぞれ付された読み出しボタンが選択可能に表示される。しかしながら、名称によっては、その名称が付された読み出しボタンがどのような種類に属する機能の設定に関するボタンであるのかを、ユーザが認識しにくい場合がある。すると、ユーザは、所望する機能の設定を読み出すための読み出しボタンとは別のボタンを選択してしまう恐れがある。
【０００５】
そこで、本発明は、読み出しボタンがどのような種類の機能に関するものであるかを容易に認識可能な画像形成装置の表示制御装置を提供することを目的とする。
【課題を解決するための手段】
【０００６】
発明１に係る画像形成装置の表示制御装置は、複数の機能を有する画像形成装置の表示制御装置であって、設定受付部と、記憶部と、表示部と、制御部とを備える。設定受付部は、複数の機能のうち少なくとも１つの機能の設定を受け付ける。記憶部は、設定受付部が受け付けた少なくとも１つの機能の設定を記憶する。表示部は、記憶部が記憶している機能の設定を読み出すための読み出しボタンを選択可能に表示する。制御部は、読み出しボタンが、設定された機能の種類に対応する色で表示されるように、表示部の表示動作を制御する。
【０００７】
この表示制御装置によると、読み出しボタンは、設定された機能の種類に対応する色で表示される。従って、ユーザは、読み出しボタンがどのような種類の機能に関するものであるかを容易に認識し、所望の読み出しボタンを選択することができる。
【０００８】
発明２に係る画像形成装置の表示制御装置は、発明１に係る画像形成装置の表示制御装置であって、設定受付部は、機能の設定を表すべき名称の外部からの入力を更に受け付ける。記憶部は、名称を、機能の設定に対応づけて更に記憶する。制御部は、機能の設定に対応する名称が読み出しボタン上に表示されるように、表示部の表示動作を更に制御する。
【０００９】
この表示制御装置によると、読み出しボタンは、設定された機能の種類に対応する色で表示されると共に、そのボタン上にはユーザにより入力された名称が表示される。従って、例えば機能の種類が同一であるために同じ色で表示された読み出しボタンが複数ある場合であっても、ユーザは、名称に基づいて所望の読み出しボタンを選択することができる。
【発明の効果】
【００１０】
本発明によると、ユーザは、読み出しボタンがどのような種類の機能に関するものであるかを容易に認識し、所望の読み出しボタンを選択することができる。
【発明を実施するための最良の形態】
【００１１】
以下、図面を参照して、本発明に係る画像形成装置の表示制御装置について説明する。
【００１２】
（１）複合機の構成
図１は、本実施形態に係る画像形成装置の表示制御装置１００が採用された複合機１の外観図である。図１の複合機１は、原稿カバー３、本体部４、操作パネル５、給紙カセット６及び排出トレイ７を備えており、複数の機能を有している。ここで、複数の機能としては、主として、コピー機能、画像データの送信等を行うセンド機能、画像データを所望のフォルダに分類して記憶させるボックス機能が挙げられる。更に、これらの各機能に属する詳細な機能としては、コピー機能に属するソート機能や集約機能、センド機能に属する送信先登録機能やタイマー送信機能、ボックス機能に属する原稿サイズ混載機能や解像度変更機能等が挙げられる。更に、複合機１は、これらの機能のうち少なくとも１つの機能の設定を記憶部４４（図２）に記憶する、いわゆるプログラム設定登録機能を有している。
【００１３】
本体部４の原稿カバー３と対向する部分には、原稿載置台２が設置されている。原稿カバー３は、原稿載置台２に対して開閉自在に本体部４に装着されており、原稿載置台２に載置された原稿を押さえることができる。
【００１４】
本体部４は、図２に示すように、主として、通信部４１、原稿読み取り部４２、画像形成部４３、記憶部４４及び制御部４５を含む。
【００１５】
通信部４１は、通信ネットワークを介して接続されたＰＣ等の外部装置（図示せず）と通信を行うものであって、外部装置から画像データ等を取得することができる。
【００１６】
原稿読み取り部４２は、原稿載置台２に載置された原稿を読み取って画像データを取得するためのものであって、図示しない光学系を有している。
【００１７】
画像形成部４３は、通信部４１や原稿読み取り部４２から取得された画像データに基づいてトナー像を形成し、用紙等の記録媒体に印刷する。具体的には、画像形成部４３は、複合機１が有している複数の機能のうち、ユーザにより操作パネル５を介して各種機能の設定がなされた場合には、その設定に応じて画像形成動作を行う。
【００１８】
記憶部４４は、例えばフラッシュメモリ等の不揮発性メモリで構成され、制御部４５のＣＰＵが読み出して実行するための各種プログラムを記憶している。特に、本実施形態に係る記憶部４４は、操作パネル５を用いて少なくとも１つの機能の設定がなされ、この機能の設定を表すべき名称が入力されると、機能の設定と名称とを対応づけて記憶する。また、記憶部４４は、ソート機能や集約機能等が、コピー機能、センド機能及びボックス機能のうちどの機能に属するかを示すデータを記憶している。より具体的には、記憶部４４は、種類分類表（図３）及びプログラム設定登録リスト（図４）を記憶している。図３の種類分類表は、複合機１が有する詳細な各機能の種類（即ち、詳細な機能の所属先の機能）を示していると共に、記憶部４４に記憶されている各機能の設定の読み出し時に、各機能の設定を読み出すための読み出しボタン（図６のＫ１〜Ｋ５）がどのような色で表示されるかを、各機能の種類別に示している。特に、本実施形態の種類分類表においては、機能の種類“コピー機能”と表示する色“青”、“センド機能”と“赤”、“ボックス機能”と“緑”とが、それぞれ対応して示されている。これにより、読み出しボタンＫ１〜Ｋ５は、各機能の種類（即ち、コピー機能、センド機能及びボックス機能）に応じて、異なる色で表示される。図４のプログラム設定登録リストには、操作パネル５を用いてユーザによりなされた各機能の設定の登録順と、各機能の設定を表すべき名称と、名称に対応する機能設定の具体的な内容を示す機能設定内容とが、それぞれ対応づけて示されている。
【００１９】
制御部４５は、ＲＡＭやＣＰＵ等で構成されるマイクロコンピュータであって、図２に示すように、通信部４１、原稿読み取り部４２、画像形成部４３、記憶部４４及び操作パネル５と接続されている。制御部４５は、例えば画像形成動作の制御等の、接続された各機能部の制御を行う。特に、制御部４５は、後述する表示制御装置１００の制御部としても機能する。尚、表示制御装置１００としての制御については、「（２）表示制御装置の構成」で詳述する。
【００２０】
操作パネル５は、図１に示すように、本体部４において原稿載置台２の手前側部分に設けられ、図５に示すように、タッチパネル５ａ（表示部に相当）と操作キー５ｂ（タッチパネル５ａ及び操作キー５ｂは、設定受付部に相当）とを有している。
【００２１】
タッチパネル５ａは、例えば液晶ディスプレイやマトリクススイッチ等で構成されており、各種画面をカラー表示する。タッチパネル５ａが表示する画面としては、コピー機能、センド機能及びボックス機能それぞれに属する詳細な機能の設定を行うための各種設定画面や、既に記憶部４４に記憶されている機能の設定の読み出し画面Ｐ１（図６）等が挙げられる。ここで、図６の読み出し画面Ｐ１には、記憶部４４のプログラム設定登録リストから各機能の設定を読み出すための読み出しボタンＫ１〜Ｋ５が含まれている。各読み出しボタンＫ１〜Ｋ５は、選択可能にタッチパネル５ａに表示されると共に、背景とは異なる色（より具体的には、背景とは異なる色であって、かつ設定された各機能の種類に対応する色）で表示される。そして、読み出しボタンＫ１〜Ｋ５上には、設定された機能を表すべき名称が表示される。更に、読み出し画面Ｐ１上には、読み出しボタンＫ１〜Ｋ５の色と、機能の種類とを対応づけた説明Ｒ１が表示されている。即ち、説明Ｒ１は、読み出し画面Ｐ１上に表示された各ボタンＫ１〜Ｋ５が、コピー機能、センド機能及びボックス機能のうちどの種類に属する機能に関するものであるかを示すものである。このように、読み出しボタンＫ１〜Ｋ５と説明Ｒ１とが同一画面上に表示されることで、ユーザは、読み出し画面Ｐ１を見るだけでボタンの機能の種類を把握することができる。尚、読み出しボタンＫ１〜Ｋ５の背景は、例えばモノクロ表示されるとする。
【００２２】
操作キー５ｂは、印刷の開始を指示するためのスタートキーや、各種設定等をリセットするためのリセットキー、テンキーの他、コピー機能、センド機能、ボックス機能を設定するための各種設定キー５１Ｂ，５２Ｂ，５３Ｂ、設定された機能の記憶部４４への記憶及び読み出しを行うためのプログラムキー５４Ｂ等を有している。
【００２３】
このようなタッチパネル５ａ及び操作キー５ｂは、複合機１が有する複数の機能のうち少なくとも１つの機能の設定や、この機能の設定を表すべき名称の入力を受け付けることができる。
【００２４】
給紙カセット６は、用紙を収納可能であって、図１に示すように本体部４の下方に３段設けられている。
【００２５】
排出トレイ７は、本体部４の側面に側方に突出するように設けられており、画像形成動作後の記録媒体が積載される。
【００２６】
（２）表示制御装置の構成
次に、本実施形態に係る表示制御装置１００の構成について説明する。表示制御装置１００は、図２に示すように、操作パネル５、記憶部４４及び制御部４５を備える。尚、操作パネル５及び記憶部４４については、既に説明しているため、以下では、表示制御装置１００としての制御を行う制御部４５について、具体的に説明する。
【００２７】
主に、表示制御装置１００としての制御部４５は、プログラム設定登録リストの更新制御、及び読み出し画面Ｐ１の表示制御を行う。
【００２８】
（２−１）プログラム設定登録リストの更新制御
複合機１の有する複数の機能のうち少なくとも１つの機能の設定が、ユーザにより操作パネル５を介してなされた場合、制御部４５は、記憶部４４のプログラム設定登録リスト（図４）に新たなレコードを作成し、作成した新たなレコードに操作パネル５が受け付けた機能の設定を書き込む。ここで、新たなレコードの「登録順」には、新たなレコードの直前のレコードにおける登録順の番号をインクリメントしたものが書き込まれる。新たなレコードの「名称」には、ユーザにより操作パネル５を介して任意に入力された名称が書き込まれ、「機能設定内容」には、操作パネル５が受け付けた各機能の設定が書き込まれる。
【００２９】
尚、既にプログラム設定登録リストに記憶されている機能の設定の削除指示が操作パネル５を介してなされた場合には、制御部４５は、該当する機能の設定が含まれているレコードをプログラム設定登録リストから削除する。
【００３０】
（２−２）読み出し画面の表示制御
操作パネル５上のプログラムキー５４Ｂが押された場合、制御部４５は、図６に示すように、読み出しボタンＫ１〜Ｋ５が、設定された機能の種類に対応する色で表示され、更に機能の設定に対応する名称が読み出しボタンＫ１〜Ｋ５上に表示されるように、タッチパネル５ａの表示動作を制御する。具体的には、制御部４５は、記憶部４４のプログラム設定登録リスト（図４）から機能の設定に関するデータをレコード単位で取り出し、図３の種類分類表に基づいて、機能設定内容がどの機能の種類に属するかをレコード毎に判断する。そして、制御部４５は、判断した機能の種類に基づいて、各レコードに対応する読み出しボタンＫ１〜Ｋ５が表示される色を決定すると共に、各レコードに対応する名称を読み出しボタンＫ１〜Ｋ５上に表示させる。
【００３１】
例えば、図４のプログラム設定登録リストにおいて、制御部４５は、登録順“００１”のレコードを取り出すと、機能設定内容“ソート、左上１カ所ステイプル、２枚集約”が図３の“コピー機能”に該当すると判断する。そして、制御部４５は、登録順“００１”のレコードに対応する読み出しボタンＫ１（図６）を青色で表示させると共に、この読み出しボタンＫ１上に名称“通常コピー１”を表示させる。同様に、登録順“００２”のレコードでは、機能設定内容が“件名／本文、送信先登録”であることから、制御部４５は、登録順“００２”のレコードはセンド機能に該当すると判断し、このレコードに対応する読み出しボタンＫ２（図６）を赤色で表示させると共に、この読み出しボタンＫ２上に名称“Ａ書類送信”を表示させる。
【００３２】
尚、プログラム設定登録リストにレコードがない場合には、制御部４５は、例えば登録されている機能設定がない旨を示すメッセージを、タッチパネル５ａに表示させる。
【００３３】
（３）表示制御装置の動作
図７は、表示制御装置１００の動作を説明するためのフロー図である。
【００３４】
ステップＳ１〜Ｓ２：操作パネル５上のプログラムキー５４Ｂが押されると（Ｓ１のＹＥＳ）、制御部４５は、プログラム設定登録リストの各レコードに対応する読み出しボタンＫ１〜Ｋ５を含む読み出し画面Ｐ１がタッチパネル５ａに表示されるように、タッチパネル５ａの表示動作を制御する。この時、制御部４５は、読み出しボタンＫ１〜Ｋ５を、設定された機能の種類に対応する色で表示させると共に、機能の設定に対応する名称を読み出しボタンＫ１〜Ｋ５上に表示させる（Ｓ２）。これにより、タッチパネル５ａには、図６に示す読み出し画面Ｐ１が表示される。
【００３５】
ステップＳ３〜Ｓ４：図６の読み出し画面Ｐ１上から新規登録ボタンが押され（Ｓ３のＹＥＳ）、その後機能の設定が操作パネル５を介してユーザによりなされた場合には、制御部４５は、操作パネル５が受け付けた機能の設定とその機能の設定を表す名称とを対応づけて、記憶部４４のプログラム設定登録リスト上に記憶させる（Ｓ４）。
【００３６】
ステップＳ５〜Ｓ６：図６の読み出し画面Ｐ１上から削除ボタンが押され（Ｓ５のＹＥＳ）、その後削除すべき機能の設定が操作パネル５を介してユーザによりなされた場合には、制御部４５は、その機能の設定に対応するレコードを、プログラム設定登録リストから消去する（Ｓ６）。
【００３７】
ステップＳ７〜Ｓ８：読み出しボタンＫ１〜Ｋ５のいずれかが押された場合には（Ｓ７のＹＥＳ）、制御部４５は、押された読み出しボタンＫ１〜Ｋ５に対応するレコードの機能設定内容をプログラム設定登録リストから抽出し、機能の設定の読み出しを行う（Ｓ８）。
【００３８】
ステップＳ９〜Ｓ１０：プログラムキー５４Ｂ以外のキー（例えば、コピー機能の設定キー５１Ｂ等）が押された場合には（Ｓ９のＹＥＳ）、制御部４５は、押された設定キー５１Ｂ〜５３Ｂに対応する画面（例えば、コピー機能の設定キー５１Ｂが押された場合には、コピー機能の設定画面）を表示する（Ｓ１０）。
【００３９】
（４）効果
（ａ）
本実施形態に係る表示制御装置１００によると、読み出しボタンＫ１〜Ｋ５は、設定された機能の種類に対応する色で表示される。従って、ユーザは、読み出しボタンＫ１〜Ｋ５がどのような種類の機能に関するものであるかを容易に認識することができるため、所望の読み出しボタンＫ１〜Ｋ５を選択することができる。
【００４０】
（ｂ）
また、表示制御装置１００によると、読み出しボタンＫ１〜Ｋ５上には、ユーザにより入力された名称が表示される。従って、例えば機能の種類が同一であるために同じ色で表示された読み出しボタンＫ１〜Ｋ５が複数ある場合であっても、ユーザは、名称に基づいて所望の読み出しボタンＫ１〜Ｋ５を選択することができる。
【００４１】
＜その他の実施形態＞
上記実施形態では、読み出しボタンＫ１〜Ｋ５が、設定された機能の種類に対応する色で表示されていると共に、読み出しボタンＫ１〜Ｋ５上には、機能の設定を表すべき名称が表示される場合について説明した。しかし、例えばプログラム設定登録リストには、機能の設定が１レコード分のみ書き込まれており、画面に表示される読み出しボタンが１つである場合のように、読み出しボタン上に名称が表示されずとも機能の種類のみでその内容がユーザに認識可能であれば、読み出しボタンには、機能の種類に対応する色のみが表示されてもよい。
【産業上の利用可能性】
【００４２】
本発明に係る表示制御装置は、複写機、プリンタ及びファクシミリ装置の各機種や、これらの機能に更にスキャナ機能を併せ持つ複合機等の画像形成装置において適用できる。
【図面の簡単な説明】
【００４３】
【図１】本実施形態に係る表示制御装置が採用された複合機の外観図。
【図２】複合機の構成を模式的に示すブロック図。
【図３】記憶部が記憶している種類分類表の概念図。
【図４】記憶部が記憶しているプログラム設定登録リストの概念図。
【図５】操作パネルの外観概略図。
【図６】タッチパネルに表示される読み出しボタンを含む画面例。
【図７】本実施形態に係る表示制御装置の動作を説明するためのフロー図。
【符号の説明】
【００４４】
１  複合機
５  操作パネル
５ａ  タッチパネル
５ｂ  操作キー
４４  記憶部
４５  制御部
１００  表示制御装置
Ｐ１  画面
Ｋ１〜Ｋ５  読み出しボタン
Ｒ１  説明
【図１】
2009065242.tif 000003
【図２】
2009065242.tif 000004
【図３】
2009065242.tif 000005
【図４】
2009065242.tif 000006
【図５】
2009065242.tif 000007
【図６】
2009065242.tif 000008
【図７】
2009065242.tif 000009